(57)【要約】【課題】  ハードディスク共用支持フレームの提供。【解決手段】  上フレームが下フレームの上方に組みつけられ、下フレームに係合溝が凸設され、且つ上フレームに該係合溝に係合するフックが凸設され、下フレームに下固定孔が開設された取り付け板が凸設され、上フレームに上固定孔が開設された平板が凸設され、上固定孔が下固定孔に対応し固定される。このほか、上フレームが上部ハードディスクを収容できる上収容空間を有し、下フレームが下部ハードディスクを収容できる下収容空間を有する。これにより下部ハードディスクと上部ハードディスクが下フレームと上フレームにそれぞれ収容され、これによりコンピュータ装置の体積を減らし、且つ上フレームと下フレームが異なる形式のハードディスクを収容でき、これによりコンピュータ装置の応用性を増す。【選択図】        図１
2006190431.tif 000002
【特許請求の範囲】
【請求項１】
ハードディスク共用支持フレームであり、該ハードディスク共用支持フレームはコンピュータ装置内に組み付けられ、該コンピュータ装置は、下部ハードディスク、上部ハードディスクを具え、且つハードディスク共用支持フレームは下フレーム、上フレームを具え、
上述の下フレームは上述のコンピュータ装置内に組み付けられ、且つ下フレームは、上板、左側板、右側板を具え、そのうち、上板は左側板と右側板の上端の間に接続され、並びに上板と左側板及び右側板の包囲により下収容空間が形成され、且つ下収容空間の前方に前側開口があり、後方に後側開口があり、並びに下収容空間に下部ハードディスクが収容され、
上述の上フレームは下フレームの上方に組み付けられ、且つ上フレームは、底板、左板、及び右板を具え、そのうち、底板は左板と右板の下端の間に接続され、並びに底板、左板及び右板の包囲により上収容空間が形成され、且つ上収容空間の前方に前開口があり、後方に後ろ開口があり、並びに上収容空間に上部ハードディスクが収容される、ハードディスク共用支持フレームにおいて、
上述の下フレームの左側板に係合溝が凸設され、且つ上フレームの左板に該係合溝に係合するフックが凸設され、また下フレームの右側板上端に下固定孔が開設された取り付け板が凸設され、上フレームの右板下端に上記下固定孔に対応しそれに固定される上固定孔が開設された平板が凸設されたことを特徴とする、ハードディスク共用支持フレーム。
【請求項２】
請求項１記載のハードディスク共用支持フレームにおいて、下フレームの係合溝と上フレームのフックが前後方向に沿って相互に対応し係合することを特徴とする、ハードディスク共用支持フレーム。
【請求項３】
請求項１記載のハードディスク共用支持フレームにおいて、下フレームの下固定孔がネジ孔とされ、上フレームの上固定孔が貫通孔とされ、ネジが該貫通孔を通り該ネジ孔内にねじ込まれることを特徴とする、ハードディスク共用支持フレーム。
【請求項４】
請求項１記載のハードディスク共用支持フレームにおいて、下フレームの上板を貫通するように少なくとも一つの案内孔が設けられ、且つ上フレームの底板に少なくとも一つの案内柱が凸設され、該案内柱が対応する案内孔に挿入され並びに案内孔内でスライド可能とされたことを特徴とする、ハードディスク共用支持フレーム。
【請求項５】
請求項４記載のハードディスク共用支持フレームにおいて、下フレームの案内孔が前後方向に延伸されたことを特徴とする、ハードディスク共用支持フレーム。
【請求項６】
請求項４記載のハードディスク共用支持フレームにおいて、下フレームの少なくとも一つの案内孔が長溝を包含し、該長溝の末端が拡大されて直径が長溝の幅より大きい円孔とされ、上フレームの少なくとも一つの案内柱の末端が拡大されて頭部が形成され、該頭部が該円孔より小さく該長溝の幅より大きいことを特徴とする、ハードディスク共用支持フレーム。
【請求項７】
請求項１記載のハードディスク共用支持フレームにおいて、コンピュータ装置が下フレキシブル配線、及び上フレキシブル配線を具え、そのうち、下フレキシブル配線は後側開口に対応し、上フレキシブル配線は後ろ開口に対応することを特徴とする、ハードディスク共用支持フレーム。
【請求項８】
請求項１記載のハードディスク共用支持フレームにおいて、コンピュータ装置内に垂直回路板が固定され、それに下部コネクタ、及び上部コネクタが固定され、そのうち下部コネクタは前側開口に対応し、上部コネクタは前開口に対応することを特徴とする、ハードディスク共用支持フレーム。
【発明の詳細な説明】
【技術分野】
【０００１】
本発明は一種の支持フレームの構造に係り、特に、ハードディスクの間で相互に共用可能であるハードディスク共用支持フレームの構造に関する。
【背景技術】
【０００２】
一般にコンピュータ装置は、その内部に往々にしてマザーボード、及びハードディスクが組み付けられ、そのうち、マザーボードは回路レイアウトに用いられ、ハードディスクは異なるデータを読み書きできる。
【０００３】
一般のサーバーを例とすると、そのハードディスクはマザーボードに組み付けられるが、一般にサーバーは比較的大きな保存空間を必要とし、ゆえに、それは二つ以上のハードディスクをデータの読み書き用に使用しうる。
【０００４】
伝統的に、上述のハードディスクは分けられて左右に並列にマザーボードに組み付けられ、このためマザーボードの少なからぬ使用空間を占拠する。このほか、伝統的なハードディスクはハードディスク支持フレームにより支持されるが、伝統的なハードディスク支持フレームは同一形式のハードディスクにのみ適用され、ゆえに異なる形式のハードディスクに対しては、ハードディスク支持フレームは相互に共用できず、相容性が低い。
【発明の開示】
【発明が解決しようとする課題】
【０００５】
以上から分かるように、コンピュータ装置に対して、軽量化、薄型化、コンパクト化が要求され、並びに機能の要求が日増しに増している今日にあって、いかにコンピュータ装置の体積を節約するかは、研究開発に携わるエンジニアが考慮しなければならない問題である。本発明はこの問題の解決に寄与する一種のハードディスク共用支持フレームを提供することを目的とする。
【課題を解決するための手段】
【０００６】
請求項１の発明は、ハードディスク共用支持フレームであり、該ハードディスク共用支持フレームはコンピュータ装置内に組み付けられ、該コンピュータ装置は、下部ハードディスク、上部ハードディスクを具え、且つハードディスク共用支持フレームは下フレーム、上フレームを具え、
上述の下フレームは上述のコンピュータ装置内に組み付けられ、且つ下フレームは、上板、左側板、右側板を具え、そのうち、上板は左側板と右側板の上端の間に接続され、並びに上板と左側板及び右側板の包囲により下収容空間が形成され、且つ下収容空間の前方に前側開口があり、後方に後側開口があり、並びに下収容空間に下部ハードディスクが収容され、
上述の上フレームは下フレームの上方に組み付けられ、且つ上フレームは、底板、左板、及び右板を具え、そのうち、底板は左板と右板の下端の間に接続され、並びに底板、左板及び右板の包囲により上収容空間が形成され、且つ上収容空間の前方に前開口があり、後方に後ろ開口があり、並びに上収容空間に上部ハードディスクが収容される、ハードディスク共用支持フレームにおいて、
上述の下フレームの左側板に係合溝が凸設され、且つ上フレームの左板に該係合溝に係合するフックが凸設され、また下フレームの右側板上端に下固定孔が開設された取り付け板が凸設され、上フレームの右板下端に上記下固定孔に対応しそれに固定される上固定孔が開設された平板が凸設されたことを特徴とする、ハードディスク共用支持フレームとしている。
請求項２の発明は、請求項１記載のハードディスク共用支持フレームにおいて、下フレームの係合溝と上フレームのフックが前後方向に沿って相互に対応し係合することを特徴とする、ハードディスク共用支持フレームとしている。
請求項３の発明は、請求項１記載のハードディスク共用支持フレームにおいて、下フレームの下固定孔がネジ孔とされ、上フレームの上固定孔が貫通孔とされ、ネジが該貫通孔を通り該ネジ孔内にねじ込まれることを特徴とする、ハードディスク共用支持フレームとしている。
請求項４の発明は、請求項１記載のハードディスク共用支持フレームにおいて、下フレームの上板を貫通するように少なくとも一つの案内孔が設けられ、且つ上フレームの底板に少なくとも一つの案内柱が凸設され、該案内柱が対応する案内孔に挿入され並びに案内孔内でスライド可能とされたことを特徴とする、ハードディスク共用支持フレームとしている。
請求項５の発明は、請求項４記載のハードディスク共用支持フレームにおいて、下フレームの案内孔が前後方向に延伸されたことを特徴とする、ハードディスク共用支持フレームとしている。
請求項６の発明は、請求項４記載のハードディスク共用支持フレームにおいて、下フレームの少なくとも一つの案内孔が長溝を包含し、該長溝の末端が拡大されて直径が長溝の幅より大きい円孔とされ、上フレームの少なくとも一つの案内柱の末端が拡大されて頭部が形成され、該頭部が該円孔より小さく該長溝の幅より大きいことを特徴とする、ハードディスク共用支持フレームとしている。
請求項７の発明は、請求項１記載のハードディスク共用支持フレームにおいて、コンピュータ装置が下フレキシブル配線、及び上フレキシブル配線を具え、そのうち、下フレキシブル配線は後側開口に対応し、上フレキシブル配線は後ろ開口に対応することを特徴とする、ハードディスク共用支持フレームとしている。
請求項８の発明は、請求項１記載のハードディスク共用支持フレームにおいて、コンピュータ装置内に垂直回路板が固定され、それに下部コネクタ、及び上部コネクタが固定され、そのうち下部コネクタは前側開口に対応し、上部コネクタは前開口に対応することを特徴とする、ハードディスク共用支持フレームとしている。
【発明の効果】
【０００７】
本発明のハードディスク共用支持フレームは、上フレームが下フレームの上方に組みつけられ、下フレームに係合溝が凸設され、且つ上フレームに該係合溝に係合するフックが凸設され、下フレームに下固定孔が開設された取り付け板が凸設され、上フレームに上固定孔が開設された平板が凸設され、上固定孔が下固定孔に対応し固定される。このほか、上フレームが上部ハードディスクを収容できる上収容空間を有し、下フレームが下部ハードディスクを収容できる下収容空間を有する。これにより下部ハードディスクと上部ハードディスクが下フレームと上フレームにそれぞれ収容され、これによりコンピュータ装置の体積を減らし、且つ上フレームと下フレームが異なる形式のハードディスクを収容でき、これによりコンピュータ装置の応用性を増す。
【発明を実施するための最良の形態】
【０００８】
本発明のハードディスク共用支持フレームはコンピュータ装置内に組み付けられ、該コンピュータ装置は、下部ハードディスク、上部ハードディスクを具え、且つ本発明のハードディスク共用支持フレームは下フレーム、上フレームを具えている。
【０００９】
上述の下フレームは上述のコンピュータ装置内に組み付けられ、且つ下フレームは、上板、左側板、右側板を具え、そのうち、上板は左側板と右側板の上端の間に接続され、並びに上板と左側板及び右側板の包囲により下収容空間が形成され、且つ下収容空間の前方に前側開口があり、後方に後側開口があり、並びに下収容空間に下部ハードディスクが収容される。
【００１０】
上述の上フレームは下フレームの上方に組み付けられ、且つ上フレームは、底板、左板、及び右板を具え、そのうち、底板は左板と右板の下端の間に接続され、並びに底板、左板及び右板の包囲により上収容空間が形成され、且つ上収容空間の前方に前開口があり、後方に後ろ開口があり、並びに上収容空間に上部ハードディスクが収容される。
【００１１】
本発明の特徴は、上述の下フレームの左側板に係合溝が凸設され、且つ上フレームの左板に該係合溝に係合するフックが凸設され、また下フレームの右側板上端に下固定孔が開設された取り付け板が凸設され、上フレームの右板下端に上記下固定孔に対応しそれに固定される上固定孔が開設された平板が凸設されたことにある。
【００１２】
これにより、下部ハードディスクと上部ハードディスクが同時に上述の上フレームと下フレームに収容され、これによりコンピュータ装置の体積を縮小し、且つ上フレームと下フレームが異なる形式のハードディスクを収容でき、これによりコンピュータ装置の応用性を増すことができる。
【００１３】
上述の下フレームは逆Ｕ形を呈し、且つ上フレームはＵ形を呈する。下フレームの係合溝と上フレームのフックは前後方向に相互に対応し係合するか、左右方向に相互に対応し係合する。
【００１４】
このほか、上述の下フレームの下固定孔はネジ孔とされ、且つ上フレームの固定孔が貫通孔とされ、並びにネジが貫通孔に通されてネジ孔にねじ込まれるか、下固定孔と上固定孔がいずれも貫通孔とされ並びにピン、挟持体のような挟持具が挿入されて係合固定される。
【００１５】
このほか、下フレームの上板を貫通するように少なくとも一つの案内孔が設けられ、且つ上フレームの底板に少なくとも一つの案内柱が凸設され、該案内柱が対応する案内孔に挿入され並びに案内孔内でスライドするものとされる。或いは案内孔は上フレームに設けられ且つ案内柱が下フレームに設けられてもよい。前述の下フレームの少なくとも一つの案内孔は前後方向に沿って延伸されるか、或いは左右方向に沿って延伸され、且つ下フレームの少なくとも一つの案内孔は長溝を包含し、その末端が拡大されて直径が長溝の幅より大きい円孔とされうる。
【００１６】
また、上述のコンピュータ装置は下フレキシブル配線、及び上フレキシブル配線を具え、そのうち、下フレキシブル配線は後側開口に対応し、上フレキシブル配線は後ろ開口に対応し、且つ下フレキシブル配線は下部ハードディスクに挿入され、上フレキシブル配線は上部ハードディスクに挿入される。上述のコンピュータ装置内に垂直回路板が固定され、それに下部コネクタ、及び上部コネクタが固定され、そのうち下部コネクタは前側開口に対応し、上部コネクタは前開口に対応し、且つ下部コネクタがもう一つの下部ハードディスクに接続可能であり、上部コネクタはもう一つの上部ハードディスクに接続可能である。
【００１７】
また、上述の下部ハードディスクは複数のネジで下フレームに固定され、且つ上部ハードディスクは複数のネジで上フレームに固定される。
【実施例１】
【００１８】
図１は本発明の第１実施例の立体分解図である。それには下フレーム１、及び上フレーム２が表示されている。そのうち、下フレーム１は逆Ｕ形を呈し、並びに上板１１、左側板１２、右側板１３を具え、そのうち、上板１１は左側板１２と右側板１３の上端の間に接続され並びに上板１１、左側板１２、及び右側板１３の包囲により下収容空間１６が形成されている。且つ下収容空間１６の前方に前側開口１４があり、後方に後側開口１５があり、また、下フレーム１の左側板１２に外向きに係合溝１２１が凸設され、且つ下フレーム１の右側板１３の上端にあって取り付け板１３１が外向きに凸設され、この取り付け板１３１に下固定孔１３２が開設されている。
【００１９】
上述の下フレーム１の下固定孔１３２は本実施例ではネジ孔とされ、且つ下フレーム１の上板１１を貫通するように二つの案内孔１１１が設けられ、各案内孔１１１は長溝１１２を具え、その末端は拡大されて円孔１１３とされている。
【００２０】
このほか、上述の上フレーム２は下フレーム１の上方に組み付けられ、且つ上フレーム２はＵ形を呈し並びに底板２１、左板２２、及び右板２３を具えている。そのうち、底板２１は左板２２と右板２３の下端の間に接続され、並びに底板２１、左板２２、及び右板２３の包囲により上収容空間２６が形成され、且つ上収容空間２６の前方に前開口２４が、後方に後ろ開口２５があり、また、上フレーム２の左板２２にフック２２１が外向きに凸設され、且つ上フレーム２の右板２３の下端に平板２３１が外向きに凸設され、この平板２３１に上固定孔２３２が開設されている。
【００２１】
上述の上フレーム２の上固定孔２３２は本実施例では貫通孔とされ、且つ上フレーム２の底板２１に二つの案内柱２１１が凸設され、各案内柱２１１の末端は拡大されて頭部２１２とされ、且つこの頭部２１２は下フレーム１の上板１１の各案内孔１１１の円孔１１３より小さく、並びに長溝１１２の幅より大きい。
【００２２】
図１、及び図２の本発明の第１実施例の組立表示図を参照されたい。図２にはコンピュータ装置３が表示され、且つ上述の下フレーム１と上フレーム２はこのコンピュータ装置３内に組み付けられ、このコンピュータ装置３は下部ハードディスク３１と上部ハードディスク３２を具え、下フレーム１の下収容空間１６は下部ハードディスク３１を収容し、上フレーム２の上収容空間２６は上部ハードディスク３２を収容する。本実施例では、下部ハードディスク３１は複数のネジ４２で下フレーム１の下収容空間１６に固定され、上部ハードディスク３２は複数のネジ４３で上フレーム２の上収容空間２６に固定される。
【００２３】
このほか、上フレーム２が下フレーム１の上に組み付けられる時、上フレーム２の底板２１の各案内柱２１１が下フレーム１の各案内孔１１１内に挿入されてスライドさせられ、下フレーム１の各案内孔１１１は前後方向に沿って延伸され、ゆえに各案内柱２１１案内孔１１１に挿入されて前後方向に沿って各案内孔１１１内をスライドさせられる。また、各案内孔１１１は長溝１１２を具え、その末端が拡大されて円孔１１３とされ、各案内柱２１１の末端は拡大されて頭部２１２とされ、且つ頭部２１２は各案内孔１１１の円孔１１３より小さく並びに長溝１１２の幅より大きいため、各案内柱２１１が各案内孔１１１内をスライドする時、長溝１１２と円孔１１３の設計により頭部２１２が固定され、即ち各案内柱２１１がスライド後に案内孔１１１内に固定される。
【００２４】
また上フレーム２が下フレーム１の上方に組み付けられる時、上フレーム２のフック２２１は下フレーム１の係合溝１２１内に係合し、且つ下フレーム１の係合溝１２１と上フレーム２のフック２２１は前後方向に沿って相互に対応し係合する。また上フレーム２の上固定孔２３２は下フレーム１の下固定孔１３２に対応し固定され、即ちネジ４１が上固定孔２３２の貫通孔に通された後に下固定孔１３２のネジ孔にねじ込まれる。
【００２５】
最後に、下部ハードディスク３１が下フレーム１の下収容空間１６内に収容され、上部ハードディスク３２が上フレーム２の上収容空間２６内に収容される時、コンピュータ装置３が具えている下フレキシブル配線３３が後側開口１５に対応し下部ハードディスク３１に挿入され、コンピュータ装置３が具えている上フレキシブル配線３４が後ろ開口２５に対応し並びに上部ハードディスク３２に挿入される。
【００２６】
これにより、下部ハードディスク３１が下フレーム１の下収容空間１６に収容され、上部ハードディスク３２が上フレーム２の上収容空間２６に収容され、且つ上フレーム２は下フレーム１の上方に対応するよう組み付けられ、こうしてコンピュータ装置３の体積が減らされる。
【実施例２】
【００２７】
図３は本発明の第２実施例の組立表示図である。その主要な構造は上述の第１実施例と同じであるが、違いは、下フレーム１の下収容空間１６と上フレーム２の上収容空間２６にそれぞれ異なる形式のもう一つの下部ハードディスク５１ともう一つの上部ハードディスク５２が収容され、且つコンピュータ装置３内に垂直回路板３７が固定され、並びに下部コネクタ３５及び上部コネクタ３６が固定され、下部コネクタ３５が前側開口１４に対応してもう一つの下部ハードディスク５１に接続され、上部コネクタ３６が前開口２４に対応し並びにもう一つの上部ハードディスク５２に接続されていることである。
【００２８】
これにより下フレーム１と上フレーム２に異なる形式のハードディスクを収容でき、こうしてコンピュータ装置３の応用性が増す。
【００２９】
以上の実施例は本発明の範囲を限定するものではなく、本発明に基づきなしうる細部の修飾或いは改変は、いずれも本発明の請求範囲に属するものとする。
【図面の簡単な説明】
【００３０】
【図１】本発明の第１実施例の立体分解図である。
【図２】本発明の第１実施例の組立表示図である。
【図３】本発明の第２実施例の組立表示図である。
【符号の説明】
【００３１】
１  下フレーム        １１  上板              １１１  案内孔
１１２  長溝          １１３  円孔            １２  左側板
１２１  係合溝        １３  左側板            １３１  取り付け板
１３２  下固定孔      １４  前側開口          １５  後側開口
１６  下収容空間      ２  上フレーム          ２１  底板
２１１  案内柱        ２１２  頭部            ２２  左板
２２１  フック        ２３  右板              ２３１  平板
２３２  上固定孔      ２４  前開口            ２５  後ろ開口
２６  上収容空間      ３  コンピュータ装置    ３１  下部ハードディスク
３２  上部ハードディスク    ３３  下フレキシブル配線
３４  上フレキシブル配線    ３５  下部コネクタ
３６  上部コネクタ          ３７  垂直回路板
４１  ネジ                  ４２  ネジ        ４３  ネジ
５１  下部ハードディスク    ５２  上部ハードディスク
【図１】
2006190431.tif 000003
【図２】
2006190431.tif 000004
【図３】
2006190431.tif 000005